(57)【要約】【課題】  簡単な構成で画像メモリの容量を削減するとともに、表示の視認性や表現能力に優れた画像制御装置を提供する。【解決手段】  ＯＳＤデータ記憶部１４に記憶してあるオンスクリーンディスプレイデータをＯＳＤ表示画像データメモリ１２３に書き込む際の画素ドットアドレスおよび表示色階調度を指定する第１のメモリ制御部１２２ａおよび第２のメモリ制御部１２２ｂを備え、第１のメモリ制御部１２２ａは、処理可能な画素ドットアドレス範囲が第２のメモリ制御部１２２ｂよりも狭く、処理可能な表示色階調度が第２のメモリ制御部１２２ｂよりも多く設定され、第１のメモリ制御部１２２ａによって構築された表示レイヤーを記憶するために要するＯＳＤ表示画像データメモリ１２３内での容量は、第２のメモリ制御部１２２ｂによって構築された表示レイヤーを記憶するために要する容量以下である。【選択図】図１
2008268594.tif 000002
【特許請求の範囲】
【請求項１】
入力された画像データを表示する表示部と、
1乃至複数のオンスクリーンディスプレイデータを記憶するＯＳＤデータ記憶部と、
オンスクリーンディスプレイ画面を構成する各画素ドットに表示色階調度を設定した表示レイヤーを構築するバッファとして機能するＯＳＤ表示画像データメモリと、
ＯＳＤデータ記憶部に記憶してあるオンスクリーンディスプレイデータをＯＳＤ表示画像データメモリに書き込む際の画素ドットアドレスおよび表示色階調度を指定する第１のメモリ制御部および第２のメモリ制御部と、
入力された制御命令にしたがって、オンスクリーンディスプレイ画面構築に必要なオンスクリーンディスプレイデータをＯＳＤデータ記憶部から読み出し、第１のメモリ制御部または第２のメモリ制御部にＯＳＤ表示画像データメモリ上で表示レイヤーを構築させるＯＳＤ制御部と、
第１のメモリ制御部または第２のメモリ制御部がＯＳＤ表示画像データメモリに構築した表示レイヤーを主画像と合成描画した一画面を表示部へ出力する画像合成部とを備え、
第１のメモリ制御部は、処理可能な画素ドットアドレス範囲が第２のメモリ制御部よりも狭く、処理可能な表示色階調度が第２のメモリ制御部よりも多く設定され、第１のメモリ制御部によって構築された表示レイヤーを記憶するために要するＯＳＤ表示画像データメモリ内での容量は、第２のメモリ制御部によって構築された表示レイヤーを記憶するために要する容量以下である
ことを特徴とする画像制御装置。
【請求項２】
第２のメモリ制御部が処理可能な画素ドットアドレス範囲は、第１のメモリ制御部の３倍であることを特徴とする請求項１記載の画像制御装置。
【請求項３】
第２のメモリ制御部が処理可能な画素ドットアドレス範囲は、前記表示部の全表示範囲であることを特徴とする請求項１または２記載の画像制御装置。
【請求項４】
第１のメモリ制御部が処理可能な表示色階調度は、赤、緑、青の全ての組み合わせパターンを用いて設定され、第２のメモリ制御部が処理可能な表示色階調度は、赤、緑、青の１つの組み合わせパターンのみを用いて設定されることを特徴とする請求項１乃至３いずれか記載の画像制御装置。
【請求項５】
第１のメモリ制御部、または処理可能な画素ドットアドレス範囲が前記表示部の全表示範囲より狭い第２のメモリ制御部によって表示部に表示されるオンスクリーンディスプレイデータの位置を設定する表示位置設定手段を備えることを特徴とする請求項１乃至４いずれか記載の画像制御装置。
【請求項６】
第１のメモリ制御部、または処理可能な画素ドットアドレス範囲が前記表示部の全表示範囲より狭い第２のメモリ制御部によって表示部に表示されるオンスクリーンディスプレイデータを、横書き表示モードと縦書き表示モードとに切り替え可能な表示モード設定手段を備えることを特徴とする請求項１乃至５いずれか記載の画像制御装置。
【請求項７】
前記横書き表示モードで前記表示部に表示されるオンスクリーンディスプレイデータの位置を行単位で設定し、前記縦書き表示モードで表示部に表示されるオンスクリーンディスプレイデータの位置を列単位で設定する表示位置設定手段を備えることを特徴とする請求項６記載の画像制御装置。
【請求項８】
前記表示位置設定手段は、文字フォントデータで構成されたオンスクリーンディスプレイデータを、文字単位または複数の文字からなる文字グループ毎に、前記表示部に表示する位置を設定することを特徴とする請求項５記載の画像制御装置。
【請求項９】
前記表示部に表示されるオンスクリーンディスプレイデータの表示優先度を設定する優先度設定手段を備え、複数のオンスクリーンディスプレイデータを互いに重ねて表示部に表示する場合、当該重複部分では、優先度の高いオンスクリーンディスプレイデータを前面に配置することを特徴とする請求項１乃至８いずれか記載の画像制御装置。
【請求項１０】
前記表示部に表示されるオンスクリーンディスプレイデータの透過度を設定する透過度設定手段を備え、複数のオンスクリーンディスプレイデータを互いに重ねて表示部に表示する場合、当該重複部分では、透過度に応じて各オンスクリーンディスプレイデータを透過表示することを特徴とする請求項１乃至９いずれか記載の画像制御装置。
【請求項１１】
前記主画像の保存手段と、保存された主画像の再生手段とを備え、前記画像合成部は、再生された主画像と前記表示レイヤーとを合成描画した一画面を表示部へ出力することを特徴とする請求項１乃至１０いずれか記載の画像制御装置。
【発明の詳細な説明】
【技術分野】
【０００１】
本発明は、オンスクリーンディスプレイ表示を行う画像制御装置に関するものである。
【背景技術】
【０００２】
画面上に表示された画像データに、文字、図形、グラフィック等の情報を重ね合わせて表示するオンスクリーンディスプレイ（以下、ＯＳＤ：Ｏｎ  Ｓｃｒｅｅｎ  Ｄｉｓｐｌａｙ）表示が可能な画像制御装置があり、ＯＳＤ表示は、メニュー、操作ガイド、あるいは機器の動作状態を示すアイコンの表示等に用いられている。
【０００３】
このような場合、主となる画像（主画像）の一部がＯＳＤ表示によって欠けても見難くならないように、操作ガイドや機器の動作状態を示すアイコンは、画面の端部に配置されることが多かった。また、メニュー等は、文字が見やすいように画面全体に表示されることが多かった。このような、従来の画像制御装置は、画面の全領域を表示可能領域とするＯＳＤ機能を有しており、画像制御装置の画像メモリ（ＶＲＡＭ）の容量が大きくなるという問題があった。
【０００４】
そこで、画像制御装置の画像メモリの容量を削減するために、ＯＳＤ表示される文字データやビットマップデータ等のＯＳＤデータを圧縮して保存する方法や（例えば、特許文献１，２参照）、非表示領域を除く画像データを保存する方法（例えば、特許文献３参照）が提案されている。
【特許文献１】特開２００４−１１８０１８号公報
【特許文献２】特開２００４−３１７８２３号公報
【特許文献３】特開２００５−１９２１２８号公報
【発明の開示】
【発明が解決しようとする課題】
【０００５】
しかしながら、画像メモリの容量を削減するためにデータの圧縮手段が必要になったり、画像メモリの容量を削減することで表示の視認性や表現能力が低下することがあった。
【０００６】
本発明は、上記事由に鑑みてなされたものであり、その目的は、簡単な構成で画像メモリの容量を削減するとともに、表示の視認性や表現能力に優れた画像制御装置を提供することにある。
【課題を解決するための手段】
【０００７】
請求項１の発明は、入力された画像データを表示する表示部と、1乃至複数のオンスクリーンディスプレイデータを記憶するＯＳＤデータ記憶部と、オンスクリーンディスプレイ画面を構成する各画素ドットに表示色階調度を設定した表示レイヤーを構築するバッファとして機能するＯＳＤ表示画像データメモリと、ＯＳＤデータ記憶部に記憶してあるオンスクリーンディスプレイデータをＯＳＤ表示画像データメモリに書き込む際の画素ドットアドレスおよび表示色階調度を指定する第１のメモリ制御部および第２のメモリ制御部と、入力された制御命令にしたがって、オンスクリーンディスプレイ画面構築に必要なオンスクリーンディスプレイデータをＯＳＤデータ記憶部から読み出し、第１のメモリ制御部または第２のメモリ制御部にＯＳＤ表示画像データメモリ上で表示レイヤーを構築させるＯＳＤ制御部と、第１のメモリ制御部または第２のメモリ制御部がＯＳＤ表示画像データメモリに構築した表示レイヤーを主画像と合成描画した一画面を表示部へ出力する画像合成部とを備え、第１のメモリ制御部は、処理可能な画素ドットアドレス範囲が第２のメモリ制御部よりも狭く、処理可能な表示色階調度が第２のメモリ制御部よりも多く設定され、第１のメモリ制御部によって構築された表示レイヤーを記憶するために要するＯＳＤ表示画像データメモリ内での容量は、第２のメモリ制御部によって構築された表示レイヤーを記憶するために要する容量以下であることを特徴とする。
【０００８】
この発明によれば、オンスクリーンディスプレイデータを表示する際に、通常は、表示範囲は狭いが表示色数が多く、表示能力に優れた第１のメモリ制御部を用い、広い範囲での表示が求められる場合は、表示色数は少ないが表示範囲が広い第２のメモリ制御部を用いることで、全てのオンスクリーンディスプレイデータを表示部の全画面領域に表示する場合に比べて、データの圧縮手段を備えることなくＯＳＤ表示画像データメモリの容量を削減することができる。さらに、各オンスクリーンディスプレイデータを表示するのに必要な領域や色数によって、第１，第２のメモリ制御部のいずれを用いるかが決定されるので、データ毎に適した表示領域、色数が設定されており、ＯＳＤ表示画像データメモリの容量を削減しつつ、表示の視認性や表現能力に優れたものとなる。
【０００９】
請求項２の発明は、請求項１において、第２のメモリ制御部が処理可能な画素ドットアドレス範囲は、第１のメモリ制御部の３倍であることを特徴とする。
【００１０】
この発明によれば、第２のメモリ制御部が処理可能な表示色階調度を、第１のメモリ制御部の１／３のデータで表せる。
【００１１】
請求項３の発明は、請求項１または２において、第２のメモリ制御部が処理可能な画素ドットアドレス範囲は、前記表示部の全表示範囲であることを特徴とする。
【００１２】
この発明によれば、表示部の全画面領域でオンスクリーンディスプレイ表示が可能となるので、表示の自由度が向上し、ユーザにとって見やすい表示となる。
【００１３】
請求項４の発明は、請求項１乃至３いずれかにおいて、第１のメモリ制御部が処理可能な表示色階調度は、赤、緑、青の全ての組み合わせパターンを用いて設定され、第２のメモリ制御部が処理可能な表示色階調度は、赤、緑、青の１つの組み合わせパターンのみを用いて設定されることを特徴とする。
【００１４】
この発明によれば、表示の視認性や表現能力を維持しながら、ＯＳＤ表示画像データメモリの容量を削減できる。
【００１５】
請求項５の発明は、請求項１乃至４いずれかにおいて、第１のメモリ制御部、または処理可能な画素ドットアドレス範囲が前記表示部の全表示範囲より狭い第２のメモリ制御部によって表示部に表示されるオンスクリーンディスプレイデータの位置を設定する表示位置設定手段を備えることを特徴とする。
【００１６】
この発明によれば、オンスクリーンディスプレイデータの主画像への干渉度合を低減しつつ、オンスクリーンディスプレイデータを見やすくでき、表示能力の向上、ユーザの視認性の向上を図ることができる。
【００１７】
請求項６の発明は、請求項１乃至５いずれかにおいて、第１のメモリ制御部、または処理可能な画素ドットアドレス範囲が前記表示部の全表示範囲より狭い第２のメモリ制御部によって表示部に表示されるオンスクリーンディスプレイデータを、横書き表示モードと縦書き表示モードとに切り替え可能な表示モード設定手段を備えることを特徴とする。
【００１８】
この発明によれば、オンスクリーンディスプレイデータの表示能力の向上、ユーザの視認性の向上を図ることができる。さらに、横書き表示モードと縦書き表示モードの切替は行と列を入れ替えることで実現できるため、画素ドットアドレス変換手段の構成を簡単にでき、切替時の画素ドットアドレスの指定が容易となる。
【００１９】
請求項７の発明は、請求項６において、前記横書き表示モードで前記表示部に表示されるオンスクリーンディスプレイデータの位置を行単位で設定し、前記縦書き表示モードで表示部に表示されるオンスクリーンディスプレイデータの位置を列単位で設定する表示位置設定手段を備えることを特徴とする。
【００２０】
この発明によれば、表示部に表示されるオンスクリーンディスプレイデータの位置を、行単位、列単位で任意に設定することによって、オンスクリーンディスプレイデータの主画像への干渉度合を低減しつつ、オンスクリーンディスプレイデータを見やすくでき、表示能力の向上、ユーザの視認性の向上を図ることができる。
【００２１】
請求項８の発明は、請求項５において、前記表示位置設定手段は、文字フォントデータで構成されたオンスクリーンディスプレイデータを、文字単位または複数の文字からなる文字グループ毎に、前記表示部に表示する位置を設定することを特徴とする。
【００２２】
この発明によれば、表示部に表示されるオンスクリーンディスプレイデータの位置を、文字単位、文字グループ毎に任意に設定することによって、オンスクリーンディスプレイデータの主画像への干渉度合を低減しつつ、オンスクリーンディスプレイデータを見やすくでき、表示能力の向上、ユーザの視認性の向上を図ることができる。
【００２３】
請求項９の発明は、請求項１乃至８いずれかにおいて、前記表示部に表示されるオンスクリーンディスプレイデータの表示優先度を設定する優先度設定手段を備え、複数のオンスクリーンディスプレイデータを互いに重ねて表示部に表示する場合、当該重複部分では、優先度の高いオンスクリーンディスプレイデータを前面に配置することを特徴とする。
【００２４】
この発明によれば、複数のオンスクリーンディスプレイデータの重複部分での表示・非表示を切り替えることができ、表示能力の向上、ユーザの視認性の向上を図ることができる。
【００２５】
請求項１０の発明は、請求項１乃至９いずれかにおいて、前記表示部に表示されるオンスクリーンディスプレイデータの透過度を設定する透過度設定手段を備え、複数のオンスクリーンディスプレイデータを互いに重ねて表示部に表示する場合、当該重複部分では、透過度に応じて各オンスクリーンディスプレイデータを透過表示することを特徴とする。
【００２６】
この発明によれば、複数のオンスクリーンディスプレイデータの重複部分でも、一部のデータが欠けて見難くなることがなく、表示能力の向上、ユーザの視認性の向上を図ることができる。
【００２７】
請求項１１の発明は、請求項１乃至１０いずれかにおいて、前記主画像の保存手段と、保存された主画像の再生手段とを備え、前記画像合成部は、再生された主画像と前記表示レイヤーとを合成描画した一画面を表示部へ出力することを特徴とする。
【００２８】
この発明によれば、予め保存していた固定画像の再生画面の一部にオンスクリーンディスプレイデータを表示することで、表示能力の向上、ユーザの視認性の向上を図ることができる。
【発明の効果】
【００２９】
以上説明したように、本発明では、簡単な構成で画像メモリの容量を削減するとともに、表示の視認性や表現能力に優れた画像制御装置を提供することができるという効果がある。
【発明を実施するための最良の形態】
【００３０】
以下、本発明の実施の形態を図面に基づいて説明する。
【００３１】
（実施形態）
図１は、画像制御装置のブロック構成を示し、表示制御部１１と、ＯＳＤコントローラ１２と、表示部１３と、ＯＳＤデータ記憶部１４と、設定部１５と、固定画像記憶部１６と、固定画像再生部１７と、画像入力切替スイッチ１８とで構成される。
【００３２】
表示制御部１１は、ＣＰＵで構成され、ＯＳＤコントローラ１２、固定画像再生部１７、画像入力切替スイッチ１８の各動作を制御している。
【００３３】
ＯＳＤコントローラ１２は、ＯＳＤ制御部１２１、メモリ制御部１２２、ＯＳＤ表示画像データメモリ１２３、ＯＳＤ表示設定記憶部１２４、画像合成部１２５とで構成され、ＯＳＤ制御部１２１が各部の動作を制御している。メモリ制御部１２２は、第１のメモリ制御部１２２ａおよび第２のメモリ制御部１２２ｂを備え、ＯＳＤ表示画像データメモリ１２３は、第１のＯＳＤ表示画像データメモリ１２３ａおよび第２のＯＳＤ表示画像データメモリ１２３ｂを備える。
【００３４】
表示部１３は、液晶ディスプレイ（ＬＣＤ）であり、ＬＣＤデバイス表示用の制御ユニットも組み込まれている。
【００３５】
ＯＳＤデータ記憶部１４は、フラッシュメモリ（ＦＲＯＭ）で構成され、表示部１３でオンスクリーンディスプレイ画面（以下、ＯＳＤ画面）を構成する画像データとして1乃至複数のオンスクリーンディスプレイデータ（以下、ＯＳＤデータ）を記憶している。このＯＳＤデータは、文字フォントデータ、図形データからなる。
【００３６】
設定部１５は、表示位置設定部１５１、表示モード設定部１５２、優先度設定部１５３、透過度設定部１５４で構成される。
【００３７】
以下、本画像制御装置の動作について詳述する。まず、表示制御部１１は、トリガ信号の入力によって、ＯＳＤコントローラ１２へＯＳＤ表示の制御信号を与える。このトリガ信号は、図示しないドアホン子器から来客時に送信される呼出操作発生通知や、図示しない監視カメラから人体検知時に送信されるイベント発生通知や、図示しないタイマ回路から所定時刻になった場合に送信されるカウントアップ通知や、表示部１３の液晶タッチパネルの操作発生通知等である。
【００３８】
そして、表示制御部１１からＯＳＤコントローラ１２へ送信される制御信号は、トリガ信号の種類に対応するＯＳＤデータ記憶部１４内のＯＳＤデータを指定し、さらに当該ＯＳＤデータの表示部１３での表示位置を特定するための画素ドットのアドレスを指定する内容からなり、ＯＳＤコントローラ１２のＯＳＤ制御部１２１に引き渡される。
【００３９】
ＯＳＤ制御部１２１は、上記制御信号にしたがって、指定されたＯＳＤデータをＯＳＤデータ記憶部１４から読み出し、メモリ制御部１２２に、ＯＳＤ表示画像データメモリ１２３上でＯＳＤ表示レイヤーを構築させる。
【００４０】
ＯＳＤ表示画像データメモリ１２３は、画像制御装置の画像メモリ（ＶＲＡＭ）を構成しており、第１，第２のＯＳＤ表示画像データメモリ１２３ａ，１２３ｂは、ＯＳＤ画面を構成する各画素ドットに表示色階調度を設定したＯＳＤ表示レイヤーを構築するダブルバッファとして機能しており、ＯＳＤデータの取り込み、ＯＳＤ表示レイヤーの構築、出力の３工程を１つのＯＳＤ表示画像データメモリで各々行い、この３工程からなる１つの処理を第１，第２のＯＳＤ表示画像データメモリ１２３ａ，１２３ｂが交互に行う。
【００４１】
メモリ制御部１２２は、第１，第２のメモリ制御部１２２ａ，１２２ｂのうち、いずれか一方が上記ＯＳＤ表示画像データメモリ１２３ａ，１２３ｂの処理を制御し、ＯＳＤデータ記憶部１４から読み出したＯＳＤデータを、第１，第２のＯＳＤ表示画像データメモリ１２３ａ，１２３ｂに書き込む際の画素ドットアドレスおよび表示色階調度を指定する。
【００４２】
そして、第１，第２のメモリ制御部１２２ａ，１２２ｂが処理可能な画素ドットアドレス範囲は、第１のメモリ制御部１２２ａのほうが第２のメモリ制御部１２２ｂより狭く、第１，第２のメモリ制御部１２２ａ，１２２ｂが処理可能な表示色階調度は、第１のメモリ制御部１２２ａのほうが第２のメモリ制御部１２２ｂより多い。
【００４３】
具体的には、第１のメモリ制御部１２２ａが処理可能な画素ドットアドレス範囲は、表示部１３の全画面領域の１／３であり、第２のメモリ制御部１２２ｂが処理可能な画素ドットアドレス範囲は、表示部１３の全画面領域に設定される。また、第１のメモリ制御部１２２ａが処理可能な表示色階調度は、赤（Ｒ）、緑（Ｇ）、青（Ｂ）を各１ビットづつ用いた全ての組み合わせパターンで設定される計８色であり、第２のメモリ制御部１２２ｂが処理可能な表示色階調度は、赤（Ｒ）、緑（Ｇ）、青（Ｂ）の全ての組み合わせパターンのうち、１つのパターンのみを１ビットに対応させて用いた１色となる（例えば、赤（Ｒ）、緑（Ｇ）、青（Ｂ）のうち、いずれか１色でもよい）。すなわち、図２（ａ）に示すように第１のメモリ制御部１２２ａは、赤（Ｒ）で構成されたＯＳＤ面Ｍｒ、緑（Ｇ）で構成されたＯＳＤ面Ｍｇ、青（ｂ）で構成されたＯＳＤ面Ｍｂを用いて計８色のＯＳＤ画面を構成できるが、その表示領域は狭く、一方、図２（ｂ）に示すように第２のメモリ制御部１２２ｂは、ＯＳＤ画面の表示領域は広いが、赤（Ｒ）、緑（Ｇ）、青（Ｂ）の全ての組み合わせパターンのうち、１つのパターンのみで表される１色のＯＳＤ面ＭｏでＯＳＤ画面を構成する。なお、上述では、赤（Ｒ）、緑（Ｇ）、青（Ｂ）の各表示階調度を１ビットとして説明しているが、各色の表示階調度は１ビットに限定されず、さらには各色の表示階調度は互いに異なってもよい。また、第２のメモリ制御部１２２ｂの処理可能な画素ドットアドレス範囲として、表示部１３の全表示範囲より狭い範囲に設定してもよい。
【００４４】
そして、第１のメモリ制御部１２２ａによって構築されたＯＳＤ表示レイヤーを記憶するために要する第１，第２のＯＳＤ表示画像データメモリ１２３ａ，１２３ｂ内での記憶容量は、第２のメモリ制御部１２２ｂによって構築された表示レイヤーを記憶するために要する記憶容量以下に設定されており、色数が多い表示を行う場合には表示領域を狭くすることでＯＳＤ表示画像データメモリ１２３内に必要な容量を削減している。
【００４５】
この第１，第２のメモリ制御部１２２ａ，１２２ｂのいずれを用いるかは、表示制御部１１に入力されるトリガ信号の種類（すなわち、発生した事象の種類）によって決まり、ＯＳＤ制御部１２１は、表示制御部１１から指定されたＯＳＤデータが赤（Ｒ）、緑（Ｇ）、青（Ｂ）の全ての組み合わせパターンを用いて表示することが必要なデータであれば、第１のメモリ制御部１２２ａを選択し、表示制御部１１から指定されたＯＳＤデータが広い表示領域が必要なデータであれば、第２のメモリ制御部１２２ｂを選択する。
【００４６】
この第１のメモリ制御部１２２ａによる処理を第２のメモリ制御部１２２ｂによる処理に切り替える構成は、ＯＳＤ表示画像データメモリ１２３に構築された赤（Ｒ）、緑（Ｇ）、青（Ｂ）の各ＯＳＤ面Ｍｒ、Ｍｇ、Ｍｂを、１つの面に再構築する簡単な回路構成で実現でき、逆に、第２のメモリ制御部１２２ｂによる処理を第１のメモリ制御部１２２ａによる処理に切り替える構成は、例えばカラーパレットの表示色を赤（Ｒ）、緑（Ｇ）、青（Ｂ）の全ての組み合わせパターンを用いて再定義する簡単な回路構成で実現できる。
【００４７】
そして、画像合成部１２５は、ＯＳＤ制御部１２１からの指示によって、画像入力切替スイッチ１８を介して送信される主画像と、第１のメモリ制御部１２２ａまたは第２のメモリ制御部１２２ｂがＯＳＤ表示画像データメモリ１２３に構築したＯＳＤ表示レイヤー（例えば、メニュー、操作ガイド、あるいは機器の動作状態を示すアイコンの表示等のＯＳＤ画面）を合成描画した一画面を表示部１３へ出力する。この画像合成部１２５は、高速切替スイッチのようなものであり、主画像とＯＳＤ表示レイヤーのいずれを表示部１３に出力するかを１つの画素ドット毎に選択している。
【００４８】
この主画像は、画像入力切替スイッチ１８が一方に切り替えられているときは、図示しないテレビジョン受像装置や監視カメラからの映像信号であり、画像入力切替スイッチ１８が他方に切り替えられているときは、固定画像再生部１７で再生される固定画像で構成される。
【００４９】
固定画像再生部１７は、固定画像記憶部１６に格納されているＪＰＥＧ画像等の固定画像を再生して、画像入力切替スイッチ１８を介して画像合成部１２５へ送信し、この固定画像にＯＳＤ表示レイヤーを合成描画して表示部１３に表示する。
【００５０】
図３（ａ）（ｂ）は、固定画像にＯＳＤ表示を合成描画した例を各々示しており、図３（ａ）はドアホンシステムのメニュー画面であって、各種設定釦Ｂ１を配置したＪＰＥＧ画像で固定画像を構成し、設定釦Ｂ１の操作に応じたトリガ信号が表示制御部１１へ送信される。表示制御部１１は、このトリガ信号に応じたＯＳＤ表示の制御信号をＯＳＤコントローラ１２へ送信し、ＯＳＤコントローラ１２は、設定釦Ｂ１の操作に対応するＯＳＤデータＡ１を固定画像上に表示する。
【００５１】
また、図示しない監視カメラからの映像信号を、時刻情報とともに固定画像記憶部１６に保存し、この監視映像を再生する際に、表示制御部１１は、時刻情報を含むＯＳＤ表示の制御信号をＯＳＤコントローラ１２へ送信しており、ＯＳＤコントローラ１２は、図３（ｂ）に示すように、時刻情報に対応するＯＳＤデータＡ２ａ（この場合は、映像信号に連動した時刻表示）および各種操作釦を表示するＯＳＤデータＡ２ｂを監視映像上に表示する。
【００５２】
固定画像記憶部１６を用いる場合、画像保存用の大容量デバイスはビット単価が安いため、メニューや操作画面の背景に用いるような固定画像を固定画像記憶部１６に保存しておいても安価に構成できる。特に、ＪＰＥＧ画像やＭＰＥＧ画像に代表されるような高能率画像圧縮符号を用いて固定画像を保存した場合、固定画像の保存に要するコストを非常に低く抑えることができる。また、予め保存していた固定画像の再生画面の一部にＯＳＤデータを表示することで、表示能力の向上、ユーザの視認性の向上を図ることができる。
【００５３】
上記のように構成された画像制御装置は、主画像の表示を目的としているので、主画像への干渉度合をなるべく少なくするために、通常は、ＯＳＤデータの表示範囲は狭いが表示色数が多く、表示能力に優れた第１のメモリ制御部１２２ａを用いる。しかし、広い範囲でのＯＳＤデータ表示が求められる場合は、一般に特定の色の文字やグラフィックス等が用いられることが多いことから、色数が減っても十分に表示機能を果たすことができると考えられるので、表示色数は少ないが表示範囲が広い第２のメモリ制御部１２２ｂを用いる。したがって、全てのＯＳＤデータを、表示部１３の全画面領域に赤（Ｒ）、緑（Ｇ）、青（Ｂ）の全ての組み合わせパターンを用いて表示する場合に比べて、ＯＳＤ表示画像データメモリ１２３の容量を削減することができる。また、データの圧縮手段が必要ないため、構成を簡略化できる。
【００５４】
さらに、各ＯＳＤデータを表示するのに必要な領域や色数によって、第１，第２のメモリ制御部１２２ａ，１２２ｂのいずれを用いるかが決定されるので、ＯＳＤデータ毎に適した表示領域、色数が設定されており、ＯＳＤ表示画像データメモリ１２３の容量を削減しつつ、表示の視認性や表現能力に優れたものとなる。
【００５５】
次に、設定部１５では、表示位置設定部１５１を操作して、第１のメモリ制御部１２２ａが処理可能な画素ドットアドレス範囲を変更することで、表示部１３に表示されるＯＳＤデータの位置を任意に設定できる。さらに表示モード設定部１５２を操作することで、表示部１３に表示されるＯＳＤデータＡ３を、図４（ａ）に示す横書き表示モード（行単位での表示）と、図４（ｂ）に示す縦書き表示モード（列単位での表示）のいずれかに切り替えることができる。この横書き表示モードと縦書き表示モードの切替は行と列を入れ替えることで実現できるため、画素ドットアドレス変換手段の構成を簡単にでき、切替時の画素ドットアドレスの指定が容易となる。
【００５６】
また、表示位置設定部１５１を操作することで、横書き表示モードのＯＳＤデータの表示位置を縦方向に行単位で変更可能であり、図５（ａ）に示すように、１つのＯＳＤデータをＯＳＤデータＡ５１，Ａ５２，Ａ５３に行単位で分割して配置でき、さらには、縦書き表示モードのＯＳＤデータの表示位置を横方向に列単位で変更可能であり、図５（ｂ）に示すように、１つのＯＳＤデータをＯＳＤデータＡ６１，Ａ６２，Ａ６３に列単位で分割して配置できる。
【００５７】
さらに、ＯＳＤデータが文字フォントデータである場合、表示位置設定部１５１操作することで、図６（ａ）に示すように、文字フォントデータからなる１つのＯＳＤデータを、１乃至複数の文字からなるＯＳＤデータＡ７１，Ａ７２，Ａ７３，．．．．．．にグループ分けし、この文字グループ毎に表示部１３での表示位置をグループ毎に任意に設定できる。また、図６（ｂ）に示すように、文字フォントデータからなる１つのＯＳＤデータを、文字単位のＯＳＤデータＡ８１，Ａ８２，Ａ８３，．．．．．．に分け、表示部１３での表示位置を文字単位で任意に設定できる。
【００５８】
上記表示位置設定部１５１および表示モード設定部１５２による操作は、表示領域の狭い第１のメモリ制御部１２２ａによって表示部１３に表示されるＯＳＤデータに対して行っているが、表示領域の広い第２のメモリ制御部１２２ｂの処理可能な画素ドットアドレス範囲が表示部１３の全表示範囲より狭い場合には、第２のメモリ制御部１２２ｂによって表示部１３に表示されるＯＳＤデータに対しても同様に行うことができる。
【００５９】
このように、表示位置設定部１５１および表示モード設定部１５２による操作によって、表示部１３に表示されるＯＳＤデータの位置を、行単位、列単位、文字グループ単位、文字単位で任意に設定し、さらにＯＳＤデータの横書き、縦書きを切り替えることによって、ＯＳＤデータの主画像への干渉度合を低減しつつ、ＯＳＤデータを見やすくでき、表示能力の向上、ユーザの視認性の向上を図ることができる。
【００６０】
例えば、図７に示すように、表示位置設定部１５１を操作することで、表示部１３上に格子状に存在する領域指定枠Ｌを指定し、ＯＳＤデータの表示位置を、指定された領域指定枠内（図７のハッチング領域Ｃ）に設定することができ、ＯＳＤデータの主画像（この場合は撮像された人物Ｈ）への干渉度合を低減している。
【００６１】
また、設定部１５では、優先度設定部１５３を操作して、ＯＳＤデータ記憶部１４に記憶されている各ＯＳＤデータの優先度を設定する。そして、ＯＳＤ制御部１２１は、複数のＯＳＤデータを互いに重ねて表示部１３に表示する場合、当該重複部分では、設定された優先度の高いＯＳＤデータを前面に配置して表示する。すなわち、図８に示すように、３つのＯＳＤデータＡ１１０，Ａ１２０，Ａ１３０に対して、Ａ１１０，Ａ１２０，Ａ１３０の順で高い優先度を設定した場合、表示部１３には、前面からＡ１１０，Ａ１２０，Ａ１３０の順で配置され、重複部分ではＯＳＤデータＡ１１０が最前面に位置し、その後面にＯＳＤデータＡ１２０が位置し、最後面にＯＳＤデータＡ１３０が位置しており、優先度の高いＯＳＤデータほど見やすくなる。したがって、複数のＯＳＤデータの重複部分での表示・非表示を切り替えることができ、表示能力の向上、ユーザの視認性の向上を図ることができる。
【００６２】
また、設定部１５では、透過度設定部１５４を操作して、ＯＳＤデータ記憶部１４に記憶されている各ＯＳＤデータの透過度を設定する。そして、ＯＳＤ制御部１２１は、複数のＯＳＤデータを互いに重ねて表示部１３に表示する場合、当該重複部分では、設定された透過度の高いＯＳＤデータほど、その後面への透過度が高くなる。すなわち、図９に示すように、３つのＯＳＤデータＡ２１０，Ａ２２０，Ａ２３０に対してある透過度を各々設定した場合、表示部１３上のＯＳＤデータＡ２１０，Ａ２２０，Ａ２３０の重複部分では、各ＯＳＤデータの後面のＯＳＤデータも透過して表示される。したがって、複数のＯＳＤデータの重複部分でも、一部のＯＳＤデータが欠けて見難くなることがなく、表示能力の向上、ユーザの視認性の向上を図ることができる。
【００６３】
上記設定部１５による各設定内容は、ＯＳＤ表示設定記憶部１２４に格納され、ＯＳＤデータ毎の設定内容を記憶しており、ＯＳＤ制御部１２１は、ＯＳＤ表示設定記憶部１２４を参照して、上記処理を行う。
【図面の簡単な説明】
【００６４】
【図１】実施形態の画像制御装置の構成を示す図である。
【図２】（ａ）は第１のメモリ制御部による画面構成、（ｂ）は第２のメモリ制御部による画面構成を示す図である。
【図３】（ａ）（ｂ）ＯＳＤ表示画面を示す図である。
【図４】（ａ）は横書き表示モードの画面、（ｂ）は縦書き表示モードの画面を示す図である。
【図５】（ａ）は行単位での位置設定がされた画面、（ｂ）は列単位での位置設定がされた画面を示す図である。
【図６】（ａ）は文字グループ単位での位置設定がされた画面、（ｂ）は文字単位での位置設定がされた画面を示す図である。
【図７】ＯＳＤデータの位置設定を行った画面を示す図である。
【図８】ＯＳＤデータに優先度を設定した画面を示す図である。
【図９】ＯＳＤデータに透過度を設定した画面を示す図である。
【符号の説明】
【００６５】
１１  表示制御部
１２  ＯＳＤコントローラ
１２１  ＯＳＤ制御部
１２２  メモリ制御部
１２２ａ  第１のメモリ制御部
１２２ｂ  第２のメモリ制御部
１２３  ＯＳＤ表示画像データメモリ
１２４  ＯＳＤ表示設定記憶部
１２５  画像合成部
１３  表示部
１４  ＯＳＤデータ記憶部
【図１】
2008268594.tif 000003
【図２】
2008268594.tif 000004
【図３】
2008268594.tif 000005
【図４】
2008268594.tif 000006
【図５】
2008268594.tif 000007
【図６】
2008268594.tif 000008
【図７】
2008268594.tif 000009
【図８】
2008268594.tif 000010
【図９】
2008268594.tif 000011